(57)【要約】  本発明の目的は、踵部甲側の突っ張りを生じることなく、十分な踵深さのある靴下の編成方法を提供することである。第１筒状部と踵部と第２筒状部を有する靴下の踵部を形成するに際して、第１筒状部の最終の編目列を係止していない編針を用いて前記筒状編地のウェール数を増やし、前針床と後針床でＣ字状に交互に反転させる引き返し編成をし、増やした編幅に対して目移しを行って編目を重ねて編幅を減らした後、第２筒状部を編成することで、突っ張りがなくフィット性の高い靴下が形成できる。
2008078623.tif 000002
【特許請求の範囲】
【請求項１】
編針を列設した少なくとも前後一対の針床を有し、前後針床が相対的にラッキング可能に構成された横編機を用いて、第１筒状部と踵部と第２筒状部を有する筒状編地で形成されるゴアラインを持つ靴下の編成方法であって、第１筒状部に続く踵部を形成するに際して、第１筒状部の最終の編目列を係止していない編針を用いて前記筒状編地のウェール数を増やし、前針床と後針床でＣ字状に交互に反転させる引き返し編成をし、増やした編幅に対して目移しを行って編目を重ねて編幅を減らした後、第２筒状部の編成を開始することを特徴とする靴下の編成方法。
【請求項２】
前記踵部を挟む２つの筒状編地を編成する際に、一方の筒状編地のウェール列と踵部のウェール列を、垂直または略垂直に接合してゴアラインを形成することを特徴とする請求項１に記載の靴下の編成方法。
【請求項３】
前記踵部の編成は、以下のステップを含むことを特徴とする請求項１または請求項２に記載の靴下の編成方法；
（１）第１筒状部の最終コースの編目を係止する編針以外の編針を用いて、踵部の編み出し編成を行うステップ、
（２）前記ステップ（１）に続いて、編糸を前針床と後針床をＣ字状に交互に反転させる引き返し編成を行いながら、第１筒状部の最終コースの編目とこれに隣接する踵部の編目を順次接合していくステップ。
【請求項４】
前記踵部の編成は、以下のステップを含むことを特徴とする請求項１、請求項２に記載の靴下の編成方法； 
（１）第１筒状部の最終コースの踵部に繋がる部分の編目に続けて、前記引き返し編成と、編目の目移しを利用しながら編目を外側に移動させて筒状編地の編幅を増やすステップ、
（２）踵部の編終わりに対して伏目処理を行い、編目を前後に接合し、筒状編地の編幅を減らすステップ。
【請求項５】
前記踵部の編成は、以下のステップを含むことを特徴とする請求項１に記載の靴下の編成方法； 
（１）第１筒状部の端側で、最終コースの編目の一部に、前記引き返し編成と、編目の目移しを利用しながら編目を外側に移動させ、筒状編地の編幅の増やしを行うステップ、
（２）前記ステップ（１）に続いて、前記引き返し編成を行い、内側に編目を移動させて筒状編地の編幅の減らしを行うステップ。
【請求項６】
第１筒状部に爪先を形成し、第２筒状部に足挿入口を形成することを特徴とする請求項１〜５の何れかに記載の靴下の編成方法。
【請求項７】
第１筒状部に足挿入口を形成し、第２筒状部に爪先を形成することを特徴とする請求項１〜５の何れかに記載の靴下の編成方法。
【請求項８】
第１筒状部と踵部と第２筒状部を有する筒状編地において、第１筒状部と第２筒状部よりも、踵部における筒状編地のウェール数が多いことを特徴とした靴下。
【請求項９】
前記第１筒状部と第２筒状部の筒状編地のどちらかのウェールに垂直または略垂直なゴアラインを有することを特徴とする請求項８に記載の靴下。
【請求項１０】
ゴアラインを靴下の底面に対して略水平に形成することを特徴とする請求項９に記載の靴下。
【発明の詳細な説明】
【技術分野】
【０００１】
本発明は、無縫製で編まれた靴下の踵部についての新しい編成方法およびその靴下に関する。
【背景技術】
【０００２】
従来より靴下の踵部の編成は、前針床と後針床により筒状の編成を行った後、甲側の編地を形成する針床での編成を一旦休止し、足裏側の編地を形成する針床において、編幅を順次減らす引き返し編成を行い、続けて編幅を順次増やす引き返し編成を行った後、休止状態にあった針床を再度使用して、筒状の編成を再開する方法が一般的であり、図９に、前記編成方法にて形成された靴下を示す。文献１には、前記編成方法だけでなく踵部を前後の針床を使用して編成する技術を開示している。また文献２では、前記編成方法に対して、踵深さを更に深くすることを開示している。図１０は、文献１の図３における編成パターンの踵部周辺を示したものであり、図１１は文献２の第３図、５図による説明内容を、図１０と同条件にて側面図として示したものである。
【特許文献１】特許第３３３３３８４号
【特許文献２】実公昭４１−１８３５４
【発明の開示】
【発明が解決しようとする課題】
【０００３】
文献１のものでは踵部を大きく形成できないという問題がある。文献２のものでは甲側の編幅の一部を使用して踵部を形成するため、踵部を大きく形成できるが、足首の甲側の部分が突っ張ってしまう。本発明では、足首の甲側の突っ張りを抑えた、十分な踵深さのある靴下を得ることを目的とする。
【課題を解決するための手段】
【０００４】
本発明は、編針を列設した少なくとも前後一対の針床を有し、前後針床が相対的にラッキング可能に構成された横編機を用いて、第１筒状部と踵部と第２筒状部を有する筒状編地で形成されるゴアラインを持つ靴下の編成方法であって、第１筒状部に続く踵部を形成するに際して、第１筒状部の最終の編目列を係止していない編針を用いて前記筒状編地を増やし、前針床と後針床でＣ字状に交互に反転させながら踵部を編成し、増やした編幅に対して目移しを行なって目を重ねて編幅を減らし、その後、第２筒状部の編成を開始することを特徴とする靴下の編成方法である。【０００５】
本発明は、前記踵部を挟む２つの筒状部を編成する際に、２つの筒状編地の一方と踵部を、垂直または、略垂直に接合してゴアラインを形成することを特徴とする靴下の編成方法である。【０００６】
本発明での前記踵部の編成は、以下のステップを含むことを特徴とする靴下の編成方法である。
（１）第１筒状部の編成された編目を係止する編針以外に、踵部のスタートになる編み出し編成を行うステップ。
（２）前記ステップ（１）の編み出し編成につながる踵部を形成する際に、編糸を前針床と後針床に交互に反転させながら供給して編む引き返し編成を行いながら、第１筒状部の最終ウェールの編目を、引き返し編成部に近い編目と順次接合していくステップ。【０００７】
本発明での前記踵部の編成は、以下のステップを含むことを特徴とする靴下の編成方法である。
（１）第１筒状部のどちらか一方の端側で、最終コースの編成された編目の一部に、編糸を前針床と後針床に交互にＣ字状に反転させながら編成する引き返し編成と編目の目移しを利用しながら、筒状編地の編幅の増やしを行うステップ。
（２）踵部の編終わりに対して伏目処理を行い、編目を前後に接合していくステップ。【０００８】
本発明では前記踵部を編成する際に、第１筒状部の最終コースの編成された編目の一部を、端側でＣ字状に反転させながら編成を行う引き返し編成と編目を目移しすることで筒状編地の編幅を増やし、Ｃ字状に反転させる編成と編目を目移しすることで筒状編地の編幅を減らす事を特徴とする、ゴアラインを有した靴下の編成方法である。【０００９】
本発明では靴下を編成するに際し、第１筒状部に爪先を形成し、第２筒状部に足挿入口を形成することを特徴とした編成方法である。【００１０】
本発明では靴下を編成するに際し、第１筒状部に足挿入口を形成し、第２筒状部に爪先を形成することを特徴とした編成方法である。【００１１】
本発明では、少なくとも前後一対の針床を有し、前後針床が相対的にラッキング可能に構成された横編機を用いて、前編地と後編地がその両端で連続した筒状編地を編成するに際し、コース幅に対して増目・減らし目を行って踵部を編成し、踵部で繋がれる２つの筒状編地のどちらかのウェールに垂直または略垂直なゴアラインを有する靴下である。【００１２】
本発明はゴアラインを靴下の底面に対して水平に形成することを特徴とする靴下である。
【発明の効果】
【００１３】
本発明では、踵部を挟む２つの筒状部に対し、踵部での編幅を広げ、ウェール数を多く得ることにより、甲側の編幅を使うことなく、装着した場合に踵部の編目を多く使用できることから、踵部甲側の突っ張りを抑えるとともに、十分な踵深さのある靴下を得ることが出来る。【００１４】
好ましくは、踵部を挟む２つの筒状部を編成するとともに、２つの筒状編地の一方と踵部が、垂直または、略垂直に接合されてゴアラインを形成することが可能となり、新しいデザインとしての活用が見出される。【００１５】
踵部を挟む２つの筒状部を編成するとともに、踵部の編幅を広げ、編目を多く得ることにより、踵部甲側の突っ張りを生じることなく、十分な踵深さのある靴下を得ながら、足底に対して斜めのゴアラインを形成することができる。【００１６】
さらに本発明においては、足挿入口より編み始め、爪先側を編み終わりとする編成方法、あるいは、爪先側を編み始め、足挿入口を編み終わりとする編成方法ともに対応することが可能となる。
【図面の簡単な説明】
【００１７】
【図１】本実施例１，２の編成方法によって編まれた靴下。
【図２】本実施例１，２での編成図。
【図３】本実施例１，２での編成図。
【図４】本実施例３の編成方法によって編まれた靴下。
【図５】本実施例３での編成図。
【図６】本実施例３のバリエーション編成方法によって編まれた靴下。
【図７】本実施例３のバリエーション編成図。
【図８】本実施例４での編成図。
【図９】従来の編成方法によって編まれた靴下。
【図１０】文献１に記載の図３において、踵部のみを示した図。
【図１１】文献２の第３図、５図による説明内容を、図１０と同条件にて側面図として示した図。
【符号の説明】
【００１８】
１，１０１…靴下、２，１０２…ゴアライン、３，１０３…踵部、４，１０４…足挿入口、５，１０５…爪先、６…第１筒状部、７…第２筒状部、８…踵の後側部分、９…引き返し編成部、１０…中心線、１１…筒状編地
【発明を実施するための最良の形態】
【００１９】
以下に本発明の好適な実施例について図面とともに説明する。なお、説明に使用している各図において、第１筒状部６と第２筒状部７は同一の編幅とし、例えば、第１筒状部６、第２筒状部７の編幅はそれぞれ８０目である。また、編成図の１点鎖線は中心線１０を、各部位の集合を編地１１として示している。図１は、本発明に係る第１実施例または第２実施例の編成方法により編成された左右共用の靴下１を示したものであり、靴下１は、第１筒状部６と踵部３と第２筒状部７とで構成されている。また、靴下１は、第１筒状部６と踵部３が垂直または、略垂直の角度で接合されており、該接合部分には、水平に伸びるゴアライン２が形成されている。【００２０】
以下、第１実施例について、図２の編成図を用いて説明を行う。なお、図では足挿入口４および爪先５は公知の方法で編成するものとし、説明の便宜上省略している。足挿入口４から、第１筒状部６を踵部３の手前まで編成し、次に、第１筒状部６の編目を係止していない針を使って踵部３の編み出し編成を行い、踵の後側部分８の編目を形成すると共に、靴下１の踵部における筒状編地の編幅を増やす。本実施例では、前記編み出し編成により前後針床でそれぞれ６０目（ウェール）の増目を形成する。編み出し編成に続いて、前針床と後針床に交互にＣ字状に反転させながら編糸を供給する引き返し編成を繰り返し行うことで、踵部３の編成を行う。その際、踵部３を２コース編成する毎に、第１筒状部６側へ移動させ、編目と重ねて接合してゴアライン２を形成する。この重ね目により第１筒状部６の目減らしを行うことになり、本実施例においては、６０目の目減らしをして踵部３の編成を終える。次に、第２筒状部７の編成を爪先に向けて行うことで靴下の編成を終了する。ゴアライン２の形成では、踵部３の引き返し編成を２コース編む毎に第１筒状部６の編目と順次接合しても良く、それ以外の比率で接合しても良い。接合の比率を変えることで、踵部に占める編目数を増減させることが出来るようになり、踵部３の膨らみが調整可能になって履き心地の向上につながる。なお、踵部の後側部分８の編み出し編成を行う前に、捨て編みを付加することで、踵部の編成を容易にすることが可能となる。また、前記踵部３の引き返し編成では、指先を丸く編成するのと同じ方法で、編み出しの幅に対して引き返しの編幅を順次増やしていく編成を行うことにより、前記踵の後側部分８に繋がる踵部３のラインを曲線に調整できる。【００２１】
第２実施例として、第１実施例で編まれた靴下を爪先側から編成する場合を示す。爪先５から、第二筒状部７を踵部３の手前まで編成し、次に、第２筒状部７の編目を係止している一部の編針を使い、筒状部の踵部３に繋がる端側で、編糸を前針床と後針床にＣ字状に交互に反転させながら編成する引き返し編成と、外側に目移しを行いながら増目を行い、筒状編地の編幅を増やす。この場合、編成する目数と目移しする目数が同数だとすると、目移しすることにより編目が係止しない針が増え、編地に穴が開いてしまい、それを防ぐために、目移しを行う目数に対して少なくとも１目以上の目を加算した目数で編成するものとする。引き続き、踵部３を編成するに際し、踵の後側部分８にあたる編成を伏目処理を行って編幅を減らし、踵部３の編成を終える。次に、第１筒状部６を足挿入口に向けて編成を行うことで靴下の編成を終了する。【００２２】
図３は上記第１実施例、第２実施例の変形例を示す。注目すべきは、第１筒状部６の踵部３側に符号９で示す引き返し編成を付加している。上記各実施例では、踵部３の編成で、第１筒状部６または第２筒状部７のウェール列と踵部３のウェール列が垂直で接合されるが、引き返し編成部９での編成目数の調整により２つの筒状編地間の角度変更が可能となり、足に沿った角度調整を行うことで履き心地の向上にも繋がる。第１実施例では、第１筒状部６を編成中に、引き返し編成部９を足首の甲側となる部分で形成し、また、第２筒状部７から編成が始まる第２実施例の場合には、踵部３の編成後、第１筒状部６を編成する前に、前記引き返し編成部９の編成を行う。【００２３】
以下、第３実施例について図４、図５を用いて説明する。図４は、本実施例３の編成方法で編まれた靴下を示す。ゴアライン２は、従来と同様の位置に形成することができる。図５に示す筒状編地の編幅を増やす際には、第２実施例の踵部３の増目の編成方法と同じであり、筒状編地の編幅を減らす際には、第１実施例の踵部３の減し目の編成方法と同じである。本実施例においては、その組み合わせで構成されている。足挿入口４から、第１筒状部６を踵部３の手前まで編成する。次に、踵部３の編成を行うために、第１筒状部６の編目を係止している一部の編針を使って、筒状編地の踵部３の端側で、編糸を前針床と後針床にＣ字状に交互に反転させながら編成する引き返し編成と、踵部の外側に向けて目移しを行いながら増目を行い、筒状編地の編幅を増やしていく。その後、増目時と逆の方向に目移しを行いながら目減らしを行うことで筒状編地の編幅を減らしていき、踵部３の編成を終える。次に、第２筒状部７の編成を爪先に向けて行うことで靴下の編成を終了する。本実施例では、前後の針床で、各４０目をＣ字状に編成しながら筒状編地の編幅を第１筒状部６の最終の筒幅より２０目増やし、引き続いて２０目を減らしている。【００２４】
また、上記した第３実施例では、踵部３の編成の際に行われる増目と減し目に対し、増目を行った最終の編成目数と減しを行う最初の編成目数を前後の針床で、各４０目としたが、必ずしも同じ目数である必要はなく、増目を行った最終の編成目数と減しを行う最初の編成目数を変えることで、踵深さやゴアラインの形状を変更することもできる。さらに、筒状編地の編幅を増目する際に、Ｃ字状に編成する引き返し編成の編目を順次減らしたり、筒状編地の編幅を減らす際に、Ｃ字状の引き返し編成を順次編目を増やしながら行うことも可能であり、それらの組み合せで対応することが出来るのも勿論のことである。【００２５】
次に、上記した各実施例の組み合せにより派生する、図６に示す靴下の編成方法について、図７を用いて以下に示す。足挿入口４から、第１筒状部６を８０目の編幅のまま踵部３の手前まで編成する。次に、踵部３の編成を行う際、筒状編地の編幅を増目するＣ字状の引き返し編成の最初の目数を、前後の針床で各４０目から開始し、その後２０目になるまで順次Ｃ字状の引き返し編成を目減らししながら行い、筒状編地の編幅を２０目増目して筒状編地のウェール数を１００目とする。続いて、筒状編地の編幅を減らす際に、Ｃ字状の引き返し編成を前記２０目より１０目多くして、前後の針床の各３０目の編成で開始し、筒状編地の編幅を２０目減らし、第２筒状部７を編成している。【００２６】
さらに、第４実施例について図８を用いて説明する。上記第３実施例で示した筒状編地の編幅の目増やしを行った後に、続いて筒状編地の編幅の目減らしを行う際、踵部の目数を増やすために、さらに５０目から４０目への減らし、続いて５０目への増やしとなるＣ字状の引き返し編成を加えることで、踵深さを増加させ、新しいゴアラインの形成も可能とする。また、追加された引き返し編成の編成目数の増減の組み合わせを変えることも可能で、踵深さや形状、ゴアラインのデザインも変更することとなり、履き心地の向上にも繋がる。【００２７】
上記した各実施例では、踵部３の編成の際に行われる増目と減し目の目数を同数としたが、必ずしも同数である必要はなく、増目と減し目の目数を変えることで、第１筒状部６と第２筒状部７の筒の大きさを変更することもできる。【００２８】
なお、爪先の編成に際しては、実施例に示されている先が丸いタイプだけではなく、５本指や足袋などでもよい。【００２９】
さらに、図１，図６にある靴下においては、爪先５と足挿入口４を形成する位置を入れ替えて編成することも可能であり、ゴアラインの向きが底面に対し水平や斜めだけではなく、垂直といったような図とは異なる靴下を得ることもできる。
【図１】
2008078623.tif 000003
【図２】
2008078623.tif 000004
【図３】
2008078623.tif 000005
【図４】
2008078623.tif 000006
【図５】
2008078623.tif 000007
【図６】
2008078623.tif 000008
【図７】
2008078623.tif 000009
【図８】
2008078623.tif 000010
【図９】
2008078623.tif 000011
【図１０】
2008078623.tif 000012
【図１１】
2008078623.tif 000013
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
編針を列設した少なくとも前後一対の針床を有し、前後針床が相対的にラッキング可能に構成された横編機を用いて、第１筒状部と踵部と第２筒状部を有する筒状編地で形成されるゴアラインを持つ靴下の編成方法であって、第１筒状部に続く踵部を形成するに際して、第１筒状部の最終の編目列を係止していない編針を用いて前記筒状編地のウェール数を増やし、前針床と後針床でＣ字状に交互に反転させる引き返し編成をし、増やした編幅に対して目移しを行って編目を重ねて編幅を減らした後、第２筒状部の編成を開始することを特徴とする靴下の編成方法。
【請求項２】
前記踵部を挟む２つの筒状編地を編成する際に、一方の筒状編地のウェール列と踵部のウェール列を、垂直または略垂直に接合してゴアラインを形成することを特徴とする請求項１に記載の靴下の編成方法。
【請求項３】
前記踵部の編成は、以下のステップを含むことを特徴とする請求項１または請求項２に記載の靴下の編成方法；
（１）第１筒状部の最終コースの編目を係止する編針以外の編針を用いて、踵部の編み出し編成を行うステップ、
（２）前記ステップ（１）に続いて、編糸を前針床と後針床をＣ字状に交互に反転させる引き返し編成を行いながら、第１筒状部の最終コースの編目とこれに隣接する踵部の編目を順次接合していくステップ。
【請求項４】
前記踵部の編成は、以下のステップを含むことを特徴とする請求項１、請求項２に記載の靴下の編成方法；
（１）第１筒状部の最終コースの踵部に繋がる部分の編目に続けて、前記引き返し編成と、編目の目移しを利用しながら編目を外側に移動させて筒状編地の編幅を増やすステップ、
（２）踵部の編終わりに対して伏目処理を行い、編目を前後に接合し、筒状編地の編幅を減らすステップ。
【請求項５】
前記踵部の編成は、以下のステップを含むことを特徴とする請求項１に記載の靴下の編成方法；
（１）第１筒状部の端側で、最終コースの編目の一部に、前記引き返し編成と、編目の目の目移しを利用しながら編目を外側に移動させ、筒状編地の編幅の増やしを行うステップ、
（２）前記ステップ（１）に続いて、前記引き返し編成を行い、内側に編目を移動させて筒状編地の編幅の減らしを行うステップ。
【請求項６】
第１筒状部に爪先を形成し、第２筒状部に足挿入口を形成することを特徴とする請求項１〜５の何れかに記載の靴下の編成方法。
【請求項７】
第１筒状部に足挿入口を形成し、第２筒状部に爪先を形成することを特徴とする請求項１〜５の何れかに記載の靴下の編成方法。
【請求項８】
第１筒状部と踵部と第２筒状部を有する筒状編地において、踵部は、編み出し部分でもって編み出され、この編み出し部に続いて繰り返される引き返し編みによる踵部の編目が、第１筒状部の編目と重ね目により順次接合されることでゴアラインを形成させたことを特徴とする靴下。
【請求項９】
前記ゴアラインは、前記第１筒状部のウェールに垂直または略垂直に形成されていることを特徴とする請求項８に記載の靴下。
【請求項１０】
前記ゴアラインを靴下の底面に対して略水平に形成したことを特徴とする請求項９に記載の靴下。
【手続補正２】
【補正対象書類名】明細書
【補正対象項目名】０００３
【補正方法】変更
【補正の内容】
【０００３】
挿入口を形成することを特徴とした編成方法である。
［００１０］
本発明では靴下を編成するに際し、第１筒状部に足挿入口を形成し、第２筒状部に爪先を形成することを特徴とした編成方法である。
［００１１］
本発明では、少なくとも前後一対の針床を有し、前後針床が相対的にラッキング可能に構成された横編機を用いて、前編地と後編地がその両端で連続した筒状編地を編成するに際し、第１筒状部と踵部と第２筒状部を有する筒状編地において、踵部は、編み出し部分でもって編み出され、この編み出し部に続いて繰り返される引き返し編みによる踵部の編目が、第１筒状部の編目と重ね目により順次接合されることでゴアラインを形成させたことを特徴とする靴下である。
［００１２］
本発明は、ゴアラインを第１筒状部のウェールに垂直または略垂直に形成されていることを特徴とする靴下であり、ゴアラインを靴下の底面に対して略水平に形成したことを特徴とする靴下である。
発明の効果
［００１３］
本発明では、踵部を挟む２つの筒状部に対し、踵部での編幅を広げ、ウェール数を多く得ることにより、甲側の編幅を使うことなく、装着した場合に踵部の編目を多く使用できることから、踵部甲側の突っ張りを抑えるとともに、十分な踵深さのある靴下を得ることが出来る。
［００１４］
好ましくは、踵部を挟む２つの筒状部を編成するとともに、２つの筒状編地の一方と踵部が、垂直または、略垂直に接合されてゴアラインを形成することが可能となり、新しいデザインとしての活用が見出される。
［００１５］
踵部を挟む２つの筒状部を編成するとともに、踵部の編幅を広げ、編目を多く得ることにより、踵部甲側の突っ張りを生じることなく、十分な踵深さのある靴下を得ながら、足底に対して斜めのゴアラインを形成することができる。
［００１６］
さらに本発明においては、足挿入口より編み始め、爪先側を編み終わりとする編成方法、あるいは、爪先側を編み始め、足挿入口を編み終わりとする編成方法ともに対応することが可能となる。
図面の簡単な説明
［００１７］
［図１］本実施例１，２の編成方法によって編まれた靴下。
［図２］本実施例１，２での編成図。
［図３］本実施例１，２での編成図。
【国際調査報告】
2008078623.tif 000014
2008078623.tif 000015
2008078623.tif 000016
2008078623.tif 000017